(57)【要約】【課題】歯間を掃除する場合、食べカスなどを効率よく除去することができ、かつ歯間を掃除する場合、予期せず歯茎を傷つけることなく安心して使用できるホルダ付デンタルフロスを提供する。【解決方法】該本体の一端の同一側から延伸して形成され、かつそれぞれの間に所定の距離を置く２本の支持アームと、それぞれの両端を該２本の支持アームの自由端に近接した位置に張設され、且つそれぞれが隣り合って所定の幅のテープ状デンタルフロスを形成する複数の繊維糸を含む。【選択図】図２
0003140534.tif 000002
【実用新案登録請求の範囲】
【請求項１】
本体と、
該本体の一端の同一側から延伸して形成され、かつそれぞれの間に所定の距離を置く２本の支持アームと、
それぞれの両端を該２本の支持アームの自由端に近接した位置に張設され、且つそれぞれが隣り合って所定の幅のテープ状デンタルフロスを形成する複数の繊維糸を含むことを特徴とする、ホルダ付デンタルフロス。
【請求項２】
前記本体の他端が延伸して、グリップ部が形成されることを特徴とする、請求項１に記載のホルダ付デンタルフロス。
【請求項３】
本体と、
該本体の一端の同一側から延伸して形成され、かつそれぞれの間に所定の距離を置く２本の支持アームと、
それぞれの両端を該２本の支持アームの自由端に近接した位置に張設され、且つそれぞれが隣り合って配列されて所定の幅のテープ状デンタルフロスを形成する複数のデンタルフロスを含むことを特徴とする、ホルダ付デンタルフロス。
【請求項４】
前記本体の他端が延伸して、グリップ部が形成されることを特徴とする、請求項３に記載のホルダ付デンタルフロス。
【考案の詳細な説明】
【技術分野】
【０００１】
本考案は、歯間掃除用のデンタルフロスに係り、特にホルダ付のデンタルフロスの改良構造に関する。
【背景技術】
【０００２】
ホルダ付デンタルフロスは、一般に常用されている歯間掃除用の道具である。市販される従来のホルダ付デンタルフロスは、ホルダ本体にデンタルフロスを１本設けてなる。
【０００３】
従来のホルダ付デンタルフロスを使用して歯間を掃除する場合、デンタルフロスを歯間に押し込み、且つデンタルフロスをして歯間の両側面の間を上下に往復移動させて、歯間に溜まった歯垢を擦って落とす。
【０００４】
上述する従来のホルダ付デンタルフロスは、ホルダ本体の一端において、同一側から２本の平行支持アームが延伸して形成され、円柱状のデンタルフロスを該２本の平行支持アームに固定する。
【０００５】
例えば、図１に従来のホルダ付デンタルフロスを開示する。図面によれば、ホルダ付デンタルフロス１は、グリップ部１４と、デンタルフロス支持部１１と、デンタルフロス支持部１１の一端の同一の側から延伸して形成される第１支持アーム１２と、第２支持アーム１３とによってホルダ本体を構成し、かつ平行支持アーム１２、１３の自由端に、それぞれ孔部２１、２２を形成して円柱状のデンタルフロス２を設ける。
【０００６】
上述する従来のホルダ付デンタルフロス１で歯間を掃除する場合は、グリップ部１４を持ってデンタルフロス２を複数回移動させて、歯間に残留する食べかすを除去する。
【０００７】
但し、従来のホルダ付デンタルフロスは、ホルダ本体にデンタルフロスが１本しか設けられていない。よって、歯間を構成する左右の歯の側面には、同一の時間点において１本のデンタルフロスが通過するだけであって、その歯の表面への接触は実際には点状にしかならならず、接触面積は狭い。このため、使用者が１本のデンタルフロスで歯間を構成する左右の歯の側面を同時に掃除する場合、時間をかけて何度も反復してデンタルフロスを移動させて歯と接触する機会を増やし、予期する好ましい掃除の効果を得るようにしなければならない。
【０００８】
また、従来のホルダ付デンタルフロスは、デンタルフロスが１本しか設けられていないため、使用者がデンタルフロスを歯間に入れた場合、人によって歯並びが異なるため、デンタルフロスの角度を調整して、始めてデンタルフロスと歯の表面とが接触し、歯間を掃除する作用を達成することができる。
【０００９】
また、デンタルフロス自体は木綿糸、もしくは人造繊維によってなる。しかも、デンタルフロス事態は円柱状を呈してホルダ本体の平行支持アーム間に張設される。使用者がデンタルフロスを歯間において上下に複数回移動させた場合、通常デンタルフロスは摩擦の頻度が高くなりすぎ、デンタルフロスの繊維の切断を招く。
【００１０】
しかも、一般のホルダ付デンタルフロスは円柱状のデンタルフロスを採用してホルダ本体に固定する。仮にデンタルフロスが太すぎれば、歯間に入れにくくなり、係るデンタルフロスを長期にわたって使用すると、歯間を広げてしまうことになり、歯並びと全体的な美観に影響を与える。さらに、歯間の移動に不便で、擦り落とした歯垢なども歯間から取り出すことが容易でなくなり、歯間の掃除の効果が大きく下がる。
【００１１】
逆に、デンタルフロスが細すぎると、切断する事態が容易に発生する。この場合、歯間の歯垢などが引き続き歯間に残留して順調に除去できないのみならず、反作用の力の影響を受けてホルダ本体の平行支持アームが直接歯茎に当たり衝撃を与える。このため歯茎の傷害を招く。
【考案の開示】
【考案が解決しようとする課題】
【００１２】
本考案は、歯間を掃除する場合、食べカスなどを効率よく除去できるホルダ付デンタルフロスを提供することを課題とする。
【００１３】
また、本考案は、デンタルフロスが切断されにくく、デンタルフロスが切断することによってホルダ本来が使用者の歯茎に直接当たって傷害を与えることのないホルダ付デンタルフロスを提供することを課題とする。
【課題を解決するための手段】
【００１４】
そこで、本考案者は従来の技術にみられる欠点に鑑み鋭意研究を重ねた結果、本体の一端をデンタルフロス支持部とし、該デンタルフロス支持部の同一側から延伸して、互いに距離を置く２本の支持アームを形成し、該２本の支持アームの自由端に近接した位置に所定の幅を有するテープ状のデンタルフロスを張設してなるホルダ付デンタルフロスの構造によって課題を解決できる点に着眼し、係る知見に基づいて本考案を完成させた。
【００１５】
具体的に、請求項１に記載するホルダ付デンタルフロスは、本体と、該本体の一端の同一側から延伸して形成され、かつそれぞれの間に所定の距離を置く２本の支持アームと、それぞれの両端を該２本の支持アームの自由端に近接した位置に張設され、且つそれぞれが隣り合って所定の幅のテープ状デンタルフロスを形成する複数の繊維糸を含む。
【００１６】
請求項２に記載とするホルダ付デンタルフロスは、請求項１における本体の他端が延伸して、グリップ部が形成される。
【００１７】
請求項３に記載するホルダ付デンタルフロスは、本体と、該本体の一端の同一側から延伸して形成され、かつそれぞれの間に所定の距離を置く２本の支持アームと、  それぞれの両端を該２本の支持アームの自由端に近接した位置に張設され、且つそれぞれが隣り合って配列されて所定の幅のテープ状デンタルフロスを形成する複数のデンタルフロスを含む。
【００１８】
請求項４に記載するホルダ付デンタルフロスは、請求項３における本体の他端が延伸して、グリップ部が形成される。
【考案の効果】
【００１９】
本考案によるホルダ付デンタルフロスは、歯間を掃除する場合、食べかすなどを効率よく除去することができ、口腔の清潔を保つための好ましい効果が得られ、時間を節約できるとともに、如何なる角度からデンタルフロスを歯間にいれても、デンタルフロスと歯の側面とが広い面積で接触するため、使用上の利便性が得られるという利点を有する。
【００２０】
また、デンタルフロスが切断されにくく、このため、歯間を掃除する場合、予期せず歯茎を傷つけることなく安心して使用できるという利点を有する。
【考案を実施するための最良の形態】
【００２１】
本考案は歯間の掃除を効率よく行うことのできるホルダ付デンタルフロスを提供するものであって、本体の一端をデンタルフロス支持部とし、該デンタルフロス支持部の同一側から延伸して、互いに距離を置く２本の支持アームを形成し、該２本の支持アームの自由端に近接した位置に所定の幅を有するテープ状のデンタルフロスを張設してなる。係るホルダ付デンタルフロスの構造と特徴を詳述するために、具体的な実施例を挙げ、図面を参照にして以下に説明する。
【実施例１】
【００２２】
図２、３に、第１の実施例によるホルダ付デンタルフロスを開示する。図面によれば、実施例におけるホルダ付デンタルフロス１は、一端のグリップ部１４と、他端のデンタルフロス支持部１１とによってホルダ本体を構成し、デンタルフロス支持部１１は同一側からそれぞれ延伸して形成される第１支持アーム１２と第２支持アーム１３とを具える。該両アームの間は一定のピッチを設ける。
【００２３】
第１支持アーム１２と第２支持アーム１３の自由端に近接した位置には、ホルダ本体の軸方向に沿って第１支持アーム１２を貫通する第１取付け孔２１ａと、ホルダ本体の軸方向に沿って第２支持アーム１３を貫通する第２取付け孔２２ｂとを、左右それぞれの孔部の位置が対称になるように穿設し、テープ状デンタルフロス４を第１取付け孔２１ａ、第２取付け孔２２ｂにそれぞれ貫通させて固定する。
【００２４】
デンタルフロス支持部１１に設けるテープ状デンタルフロス４ａは、直径の太いデンタルフロスであって、高圧で圧して扁平状にして連結してテープ状にした後、該ホルダ本体の軸方向と平行になるようして、それぞれ左右両側の支持アームに左右対称に形成した孔部に張設する。テープ状デンタルフロス４ａとデンタルフロス支持部１１との間には空間部１５を形成する。
【実施例２】
【００２５】
図４は、第２の実施例によるホルダ付デンタルフロスの断面図である。図面によれば、第２の実施例は上述する第１の実施例と略同様に構成する。よって、上述の説明と対応させるために、同一の部材については同一の符号を付して表示する。
【００２６】
第２の実施例は、デンタルフロス支持部１１に設けるテープ状デンタルフロスを複数の直径の小さいデンタルフロスが互いに密接して隣り合うように配列して、幅の広いテープ状デンタルフロス４ｂを形成する点において、第１の実施例と異なる。複数のデンタルフロス４ｂは、それぞれデンタルフロスの間において所定の隙間を保持して固定した後、それぞれ左右両側の支持アームに左右対称に形成した孔部に張設する。
【００２７】
上述するホルダ付デンタルフロス１の他端に形成されたグリップ部１４は、使用者が手に持って歯間の掃除を行うために供する。
【００２８】
図５に開示するように、使用者がグリップ部１４を持って、デンタルフロス支持部１１に設けたテープ状デンタルフロス４を歯間に入れると、歯間を構成する歯の側面とテープ状デンタルフロスとが比較的大きな面積で接触する。使用者がデンタルフロス支持部１１を上下に移動させると、同時に歯間を構成する歯の側面に付着した歯垢、食べかすなどが、テープ状デンタルフロス４によって広範囲に、且つ持続的に擦り落とされ、擦り落とされた食べカス、歯垢などはデンタルフロス支持部１１の上下の移動によって摩擦され、テープ状デンタルフロス４の細かく、密集した繊維、もしくは隣り合って緊密に配列された直径の小さい複数のデンタルフロス４ｂの間に付着し、テープ状デンタルフロス４が歯間から離れると、これに従い食べかす、歯垢なども順調に歯間から取り出される。
【００２９】
この考案によるホルダ付デンタルフロス１はデンタルフロス支持部１１にテープ状デンタルフロス４を設ける。デンタルフロスを歯間に入れて歯間の掃除を行う場合、テープ状デンタルフロス４は面による接触方式であるため、歯間を構成する歯の表面との接触面積が広くなる。したがって、使用者はデンタルフロスを何度も反復して上下に移動させてデンタルフロスと歯の表面とが接触する機会を増やす必要なく、ホルダ付デンタルフロス１による歯間の掃除の好ましい効果が得られ、さらには歯間の掃除の時間を節約することができる。
【００３０】
また、この考案における扁平のテープ状デンタルフロス４は柔軟性を有する繊維によってなり、使用者が如何なる角度から歯間に入れようと、歯間を構成する両方の歯の側面に接触することができる。このため、故意にデンタルフロスの角度を調整する必要がない。
【００３１】
また、この考案におけるテープ状デンタルフロス４は、繊維が扁平のテープ状に、緊密に配列される。このため、従来の円柱状のデンタルフロスに比して全体的な引っ張りに対する抗力が更に大きく、使用する過程における切断現象が発生しにくい。 
【００３２】
以上はこの考案の好ましい実施の形態であって、この考案の実施の範囲を限定するものではない。よって、当業者のなし得る修正、もしくは訂正であって、この考案の精神の下においてなされ、かつこの考案に対して均等の効果を有するものについては、いずれもこの考案の実用新案登録請求の範囲に属するものとする。
【図面の簡単な説明】
【００３３】
【図１】従来のホルダ付デンタルフロスの側面図
【図２】本考案によるホルダ付デンタルフロスの側面図（実施例１）
【図３】図２に開示する３−３線に沿った断面図
【図４】図２に開示する３−３線に沿った他の断面図（実施例２）
【図５】本考案によるホルダ付デンタルフロスの使用態様を示した説明図
【符号の説明】
【００３４】
１              ホルダ付デンタルフロス
１１            デンタルフロス支持部
１２            第１支持アーム 
１３            第２支持アーム
１４            グリップ部
１５            空間部
２              デンタルフロス
２１            孔部
２２            孔部
２１ａ          第１取付け孔
２２ｂ          第２取付け孔
４ａ            テープ状デンタルフロス                                     
４ｂ            テープ状デンタルフロス
【図１】
0003140534.tif 000003
【図２】
0003140534.tif 000004
【図３】
0003140534.tif 000005
【図４】
0003140534.tif 000006
【図５】
0003140534.tif 000007